【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
互いに対向する第１面及び第２面を備え、前記第１面には、複数のグルーブが陰刻されたパターンを有し、前記複数のクルーブの間には平坦面が備えられ、１より大きい屈折率を有する材質からなる高屈折率パターン層と、
前記高屈折率パターン層の屈折率より小さな屈折率を有する材質からなり、前記複数のグルーブを満たす充填物質を含む低屈折率パターン層とを有し、
前記低屈折率パターン層を通じて入射された光が前記高屈折率パターン層を通じて出射されることを特徴とする光学フィルム。
【請求項２】
前記複数のクルーブは、曲面を含むことを特徴とする請求項１に記載の光学フィルム。
【請求項３】
前記充填物質は、空気又は樹脂物質からなることを特徴とする請求項１に記載の光学フィルム。
【請求項４】
前記充填物質は、光拡散体又は光吸収体が含まれた透明プラスチック材質からなることを特徴とする請求項１に記載の光学フィルム。
【請求項５】
前記低屈折率パターン層は、前記複数のグルーブに対応する複数の突出パターンを有するフィルム状になっていることを特徴とする請求項１に記載の光学フィルム。
【請求項６】
前記低屈折率パターン層は、光拡散体又は光吸収体が含まれた透明プラスチック材質からなることを特徴とする請求項５に記載の光学フィルム。
【請求項７】
前記グルーブの幅に対する深さの比で定義されるアスペクト比は、１より大きくて３より小さいことを特徴とする請求項１に記載の光学フィルム。
【請求項８】
前記複数のグルーブは、ストライプ状に延長された形態であることを特徴とする請求項１に記載の光学フィルム。
【請求項９】
前記複数のグルーブは、ドット状であることを特徴とする請求項１に記載の光学フィルム。
【請求項１０】
前記複数のグルーブを形成する曲面表面は、非球面であることを特徴とする請求項１に記載の光学フィルム。
【請求項１１】
前記高屈折率パターン層の幅に対する前記複数のグルーブの幅の合計が占める割合は、２５％〜５０％であることを特徴とする請求項１に記載の光学フィルム。
【請求項１２】
前記低屈折率パターン層の下部に第１粘着層がさらに形成されることを特徴とする請求項１に記載の光学フィルム。
【請求項１３】
前記高屈折率パターン層の上部に円偏光層がさらに形成されることを特徴とする請求項１２に記載の光学フィルム。
【請求項１４】
前記高屈折率パターン層と前記円偏光層との間に、前記高屈折率パターン層から前記円偏光層に向かって順次に配置される第１基材及び第２粘着層がさらに形成されることを特徴とする請求項１３に記載の光学フィルム。
【請求項１５】
前記円偏光層は、前記第２粘着層上に順次配置される位相変換層、直線偏光層、第２基材を含むことを特徴とする請求項１４に記載の光学フィルム。
【請求項１６】
前記高屈折率パターン層の上部に反射防止膜がさらに形成されることを特徴とする請求項１２に記載の光学フィルム。
【請求項１７】
前記高屈折率パターン層と前記反射防止膜との間に第１基材が形成されることを特徴とする請求項１６に記載の光学フィルム。
【請求項１８】
前記高屈折率パターン層と前記第１基材との間に位相変換層及び直線偏光層を備える円偏光層がさらに形成されることを特徴とする請求項１７に記載の光学フィルム。
【請求項１９】
前記第１粘着層と前記反射防止膜との間に、前記第１粘着層から前記反射防止膜に向かって順次に、前記低屈折率パターン層、前記高屈折率パターン層、前記位相変換層、前記直線偏光層、前記第１基材が配置されることを特徴とする請求項１８に記載の光学フィルム。
【請求項２０】
前記高屈折率パターン層と前記位相変換層との間に、前記高屈折率パターン層から前記位相変換層に向かって順次に配置される、第２基材及び第２粘着層がさらに形成されることを特徴とする請求項１９に記載の光学フィルム。
【請求項２１】
前記第１基材、前記第２基材は、光学的等方性物質からなることを特徴とする請求項２０に記載の光学フィルム。
【請求項２２】
前記第１粘着層と前記反射防止膜との間に、第１粘着層から前記反射防止膜に向かって順次に、前記位相変換層、前記直線偏光層、前記低屈折率パターン層、前記高屈折率パターン層、前記第１基材が配置されることを特徴とする請求項１８に記載の光学フィルム。
【請求項２３】
前記直線偏光層と前記低屈折率パターン層との間に、前記直線偏光層から前記低屈折率パターン層に向かって順次に配置される、第２基材及び第２粘着層がさらに形成されることを特徴とする請求項２２に記載の光学フィルム。
【請求項２４】
前記第１粘着層と前記反射防止膜との間に、第１粘着層から前記反射防止膜に向かって順次に、前記位相変換層、前記低屈折率パターン層、前記高屈折率パターン層、前記直線偏光層、前記第１基材が配置されることを特徴とする請求項１８に記載の光学フィルム。
【請求項２５】
前記高屈折率パターン層と前記直線偏光層との間に第２基材がさらに形成されることを特徴とする請求項２４に記載の光学フィルム。
【請求項２６】
前記第１粘着層と前記低屈折率パターン層との間に、前記第１粘着層から前記低屈折率パターン層に向かって順次に配置される、位相変換層、直線偏光層、第１基材が形成されることを特徴とする請求項１６に記載の光学フィルム。
【請求項２７】
前記高屈折率パターン層と反射防止膜との間に透過率調節層がさらに形成されることを特徴とする請求項１６に記載の光学フィルム。
【請求項２８】
前記高屈折率パターン層と透過率調節層との間に第１キャリアフィルムがさらに形成されることを特徴とする請求項２７に記載の光学フィルム。
【請求項２９】
前記第１キャリアフィルムと前記透過率調節層との間に第２粘着層がさらに形成され、
前記透過率調節層と前記反射防止膜との間に第２キャリアフィルムがさらに形成されることを特徴とする請求項２８に記載の光学フィルム。
【請求項３０】
前記透過率調節層と前記反射防止膜との間に第１キャリアフィルムが形成されることを特徴とする請求項２７に記載の光学フィルム。
【請求項３１】
前記高屈折率パターン層と前記透過率調節層との間に第２粘着層がさらに形成され、
前記第１粘着層と前記低屈折率パターン層との間に第２キャリアフィルムがさらに形成されることを特徴とする請求項３０に記載の光学フィルム。
【請求項３２】
互いに異なる波長の光を発光する複数の画素と、該波長の光に対して共鳴現象を引き起こす微細空洞構造とを含む有機発光層を備える有機発光パネルと、
前記有機発光パネル上に配置され、請求項１乃至６のいずれか一項に記載の光学フィルムとを備えることを特徴とする有機発光表示装置。
【請求項３３】
前記複数のグルーブは、ストライプ状に延長された形態であることを特徴とする請求項３２に記載の有機発光表示装置。
【請求項３４】
前記光学フィルムは、前記複数のグルーブのストライプ状の延長方向が前記有機発光パネルの上下方向と対応するように前記有機発光パネル上に配置されることを特徴とする請求項３３に記載の有機発光表示装置。
【請求項３５】
前記複数の画素は、前記有機発光パネルの上下及び左右方向に二次元的に配列され、
前記複数のグルーブのストライプ状の延長方向と、前記複数の画素が上下に配列された方向とは互いに平行ではなく、ずれて配置されることを特徴とする請求項３４に記載の有機発光表示装置。
【請求項３６】
前記複数のグルーブは、ドット状であることを特徴とする請求項３２に記載の有機発光表示装置。
【請求項３７】
前記光学フィルムは、前記グルーブの幅に対する深さの比で定義されるアスペクト比が１より大きくて３より小さいことを特徴とする請求項３２に記載の有機発光表示装置。
【請求項３８】
前記光学フィルムの前記複数のグルーブを形成する前記曲面表面は、非球面であることを特徴とする請求項３２に記載の有機発光表示装置。
【請求項３９】
前記光学フィルムは、前記高屈折率パターン層の幅に対する前記複数のグルーブの幅の合計が占める割合は２５％〜５０％であることを特徴とする請求項３２に記載の有機発光表示装置。
【請求項４０】
前記有機発光表示パネルと前記光学フィルムとの間に粘着層がさらに形成されることを特徴とする請求項３２に記載の有機発光表示装置。
【請求項４１】
前記粘着層は、光吸収体及び光拡散剤を含むＰＳＡ（ｐｒｅｓｓｕｒｅ  ｓｅｎｓｉｔｉｖｅ  ａｄｈｅｓｉｏｎ）物質からなることを特徴とする請求項４０に記載の有機発光表示装置。
【請求項４２】
前記高屈折率パターン層の上部に円偏光層がさらに形成されることを特徴とする請求項４０に記載の有機発光表示装置。
【請求項４３】
前記高屈折率パターン層の上部に反射防止膜がさらに形成されることを特徴とする請求項４０に記載の有機発光表示装置。
【請求項４４】
前記高屈折率パターン層と前記反射防止膜との間に、位相変換層及び直線偏光層を備える円偏光層がさらに形成されることを特徴とする請求項４３に記載の有機発光表示装置。
【請求項４５】
前記高屈折率パターン層と前記反射防止膜との間に透過率調節層がさらに形成されることを特徴とする請求項４３に記載の有機発光表示装置。
【請求項４６】
前記有機発光層から前記光学フィルムまでの距離は１．５ｍｍ以下であることを特徴とする請求項３２に記載の有機発光表示装置。
【手続補正２】
【補正対象書類名】明細書
【補正対象項目名】０００６
【補正方法】変更
【補正の内容】
【０００６】
上記目的を達成するためになされた本発明による光学フィルムは、互いに対向する第１面及び第２面を備え、前記第１面には、複数のグルーブが陰刻されたパターンを有し、前記複数のクルーブの間には平坦面が備えられ、１より大きい屈折率を有する材質からなる高屈折率パターン層と、前記高屈折率パターン層の屈折率より小さな屈折率を有する材質からなり、前記複数のグルーブを満たす充填物質を含む低屈折率パターン層とを有し、前記低屈折率パターン層を通じて入射された光が前記高屈折率パターン層を通じて出射されることを特徴とする。
【手続補正３】
【補正対象書類名】明細書
【補正対象項目名】０００７
【補正方法】変更
【補正の内容】
【０００７】
前記複数のクルーブは、曲面を含むことが好ましい。
前記充填物質は、空気又は樹脂物質からなることが好ましい。
前記充填物質は、光拡散体又は光吸収体が含まれた透明プラスチック材質からなることが好ましい。
前記低屈折率パターン層は、前記複数のグルーブに対応する複数の突出パターンを有するフィルム状になっていることが好ましい。
前記低屈折率パターン層は、光拡散体又は光吸収体が含まれた透明プラスチック材質からなることが好ましい。
前記グルーブの幅に対する深さの比で定義されるアスペクト比は、１より大きくて３より小さいことが好ましい。
前記複数のグルーブは、ストライプ状に延長された形態であることが好ましい。
前記複数のグルーブは、ドット状であることが好ましい。
前記複数のグルーブを形成する曲面表面は、非球面であることが好ましい。
前記高屈折率パターン層の幅に対する前記複数のグルーブの幅の合計が占める割合は、２５％〜５０％であることが好ましい。
前記低屈折率パターン層の下部に第１粘着層がさらに形成されることが好ましい。
前記高屈折率パターン層の上部に円偏光層がさらに形成されることが好ましい。
前記高屈折率パターン層と前記円偏光層との間に、前記高屈折率パターン層から前記円偏光層に向かって順次に配置される第１基材及び第２粘着層がさらに形成されることが好ましい。
前記円偏光層は、前記第２粘着層上に順次配置される位相変換層、直線偏光層、第２基材を含むことが好ましい。
前記高屈折率パターン層の上部に反射防止膜がさらに形成されることが好ましい。
前記高屈折率パターン層と前記反射防止膜との間に第１基材が形成されることが好ましい。
前記高屈折率パターン層と前記第１基材との間に位相変換層及び直線偏光層を備える円偏光層がさらに形成されることが好ましい。
前記第１粘着層と前記反射防止膜との間に、前記第１粘着層から前記反射防止膜に向かって順次に、前記低屈折率パターン層、前記高屈折率パターン層、前記位相変換層、前記直線偏光層、前記第１基材が配置されることが好ましい。
前記高屈折率パターン層と前記位相変換層との間に、前記高屈折率パターン層から前記位相変換層に向かって順次に配置される、第２基材及び第２粘着層がさらに形成されることが好ましい。
前記第１基材、前記第２基材は、光学的等方性物質からなることが好ましい。